(57)【要約】      （修正有）【課題】高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供すること。【解決手段】このアタッチメント２０は、環状の取付金具２１と前記取付金具２１外周に設けた突片２２と、前記突片２２の下面側にバネ部材２３と共に取り付けられた不燃性蓋部材２４と規制ピン２５とからなる。【選択図】図２
2008048801.tif 000002
【特許請求の範囲】
【請求項１】
中高層集合住宅等の建築物の床又は壁等の防火区画を貫通する排水管又は継手に取り付けられる防火アタッチメントであって、
前記排水管又は継手の端部に取り付けられる取付金具と、前記取付金具外面に設けた突片と、前記突片の外面側にバネ部材と共に取り付けられ、前記バネ部材の付勢力で前記取付金具の開口側へ水平方向に回動する不燃性蓋部材と、
前記突片の不燃性蓋部材の回動経路上に立設されて、前記不燃性蓋部材の回動を規制する規制ピンとからなり、
火災が発生したとき、火災時の熱によって前記突片の規制ピンによる規制が解除されて、前記不燃性蓋部材が前記バネ部材の付勢力によって回動し、前記取付金具の開口を閉蓋するようにしたことを特徴とする防火アタッチメント。
【請求項２】
取付金具外面に設けた複数の突片と、前記各突片の外面側にバネ部材と共に取り付けられ、前記バネ部材の付勢力で前記取付金具の開口側へ水平方向に回動する不燃性蓋部材と、前記各突片の不燃性蓋部材の回動経路上に立設されて、前記不燃性蓋部材の回動を規制する規制ピンとからなり、
火災が発生したとき、火災時の熱によって前記各突片の規制ピンによる規制が解除されて、前記各突片の不燃性蓋部材がバネ部材の付勢力によって回動し、前記取付金具の開口上で突き合わせ状態となって該開口を閉蓋するようにしたことを特徴とする請求項１記載の防火アタッチメント。
【発明の詳細な説明】
【技術分野】
【０００１】
本発明は、中高層集合住宅等の建築物の床又は壁等の防火区画を貫通する排水管又は継手に取り付けられる防火アタッチメントに関し、詳細には各階の防火区画を貫通する排水管又は継手に取り付けられて、該排水管又は継手の管路を通じた他の防火区画への類焼を防止するようにした防火アタッチメントに関する。
【背景技術】
【０００２】
従来より、複数の住戸専有部分を備える中高層集合住宅等の建築物の排水設備１は、図８に示すように、建築物の上下方向に延びる排水立管２と、建築物の各階毎に設けられて、各階の住居部分の設備等からの排水を前記排水立管２まで導く排水横枝管３と、排水立管２と排水横枝管３とを接続する排水管又は継手４とを有してなり、排水管又は継手４は、その胴部４ａがコンクリートスラブＣの貫通孔Ｃ１に通されており、その胴部Ｃによって上階の排水立管２と下階の排水立て管２とが接続されるようになっている。排水管又は継手４は、胴部４ａがコンクリートスラブＣの貫通孔Ｃ１に通された後、その胴部４ａと貫通孔Ｃ１の隙間部分がモルタルＭにより埋め戻されている（特許文献１参照）。
【０００３】
上記従来の排水設備において、建築物の上下方向に延びる排水立管２には、下階から上階への類焼を防ぐ目的で鋼管や銅管などの金属製の配管部材が用いられていた。ところが、鋼管や銅管などの金属製の配管部材は重く、このような配管部材を配管場所に持ち込み、配管場所で所定の寸法に切断し接続するという配管作業は大変に手間がかかり、技術も要していた。
【０００４】
そこで、運搬や配管作業の手間を大幅に削減できる軽量で、加工性に優れた樹脂製の配管部材の使用が望まれていた。
【０００５】
このような要求に対し、従来より、汎用されている塩ビ管などの樹脂管を建築物の床又は壁等の防火区画を貫通する排水管又は継手に接続される排水立管の配管部材として用いることも検討された。
【０００６】
しかし、塩ビ管などの樹脂管を建築物の床又は壁等の防火区画を貫通する排水管又は継手に接続される排水立管として用いた場合、塩ビ管などの樹脂管は可燃性材料であるため、火災発生時の熱で溶融して消失してしまい、これにより排水管又は継手の管路を通じて他の防火区画への類焼を引き起こす招く恐れがあった。
【０００７】
このため、塩ビ管などの樹脂管を建築物の床又は壁等の防火区画を貫通する排水管又は継手に接続される排水立管として用いる場合には、消防法又は建築基準法上の法的規制により、排水立管の排水管又は継手との接続部分から前後１ｍを不燃材料で覆うという措置が講じなければならなかった。
【特許文献１】特開２００５−１４６５２５号公報
【発明の開示】
【発明が解決しようとする課題】
【０００８】
排水立管を覆う不燃材料には、管長方向に２つ割にされた管状部材が使用され、これをバンド状止具や粘着テープや針金等を用いて排水立管周りに固定していた。しかしながら、これらの作業は床下等の狭い場所で作業しなければならないため容易ではなく、しかもうまく固定できなかったり、固定後に脱落したりするおそれもあった。
【０００９】
本発明は、このような技術的課題に鑑みなされたものであり、中高層集合住宅等の建築物の床又は壁等の防火区画を貫通する排水管又は継手に取り付けることで、該排水管又は継手に接続される排水立管に軽量で加工が容易な樹脂管を用いた場合でも、火災発生時に排水管又は継手の管路を通じた他の防火区画への類焼を確実に防止することができる防火アタッチメントを提供することを目的とするものである。
【課題を解決するための手段】
【００１０】
上記目的を達成するため、請求項１記載の発明は、中高層集合住宅等の建築物の床又は壁等の防火区画を貫通する排水管又は継手に取り付けられる防火アタッチメントであって、
前記排水管又は継手の端部に取り付けられる取付金具と、前記取付金具外面に設けた突片と、前記突片の外面側にバネ部材と共に取り付けられ、前記バネ部材の付勢力で前記取付金具の開口側へ水平方向に回動する不燃性蓋部材と、
前記突片の不燃性蓋部材の回動経路上に立設されて、前記不燃性蓋部材の回動を規制する規制ピンとからなり、
火災が発生したとき、火災時の熱によって前記突片の規制ピンのよる規制が解除されて、前記不燃性蓋部材が前記バネ部材の付勢力によって回動し、前記取付金具の開口を閉蓋するようにしたことを特徴とする防火アタッチメントをその要旨とした。
【００１１】
請求項２記載の発明は、取付金具外面に設けた複数の突片と、前記各突片の外面側にバネ部材と共に取り付けられ、前記バネ部材の付勢力で前記取付金具の開口側へ水平方向に回動する不燃性蓋部材と、前記各突片の不燃性蓋部材の回動経路上に立設されて、前記不燃性蓋部材の回動を規制する規制ピンとからなり、
火災が発生したとき、火災時の熱によって前記各突片の規制ピンによる規制が解除されて、前記各突片の不燃性蓋部材がバネ部材の付勢力によって回動し、前記取付金具の開口上で突き合わせ状態となって該開口を閉蓋するようにしたことを特徴とする請求項１記載の防火アタッチメントをその要旨とした。
【発明の効果】
【００１２】
本発明の防火アタッチメントにあっては、建築物の各階の防火区画を貫通する排水管又は継手の端部に取付金具を取り付け、前記排水管又は継手の端部に排水立管端部を接続することで、火災が発生したとき、火災時の熱によって前記取付金具外面に設けた突片の規制ピンによる規制が解除されて、前記突片の外面側にバネ部材と共に取り付けられ不燃性蓋部材が前記バネ部材の付勢力によって前記取付金具の開口側へ水平方向に回動し、該取付金具の開口を閉蓋するようになっている。このため、排水管又は継手の管路を通じた他の防火区画への類焼を確実に防止することができる。
【００１３】
また、本発明のアタッチメントを適用する場合、排水管又は継手の管路を通じた他の防火区画への類焼が確実に防止されるため、各階の排水管又は継手間を接合する排水立管には、ポリ塩化ビニル、架橋ポリエチレン、ポリプロピレン、ポリブテン等の軽量で加工が容易な樹脂管を用いることができるため、建造物の配管作業をより効率よく行うことができる。
【発明を実施するための最良の形態】
【００１４】
以下、本発明の防火アタッチメントを図面に示した一形態に従ってさらに詳しく説明する。図１に示すアタッチメント１１は、建造物の上下方向に延びる排水立管１２と、建造物の各階毎に設けられて、各階の住去部分の設備等からの排水を前記排水立管１２まで導く排水横枝管１３とを接続する排水管又は継手１４の下端部１４ｂに取り付けられる。尚、アタッチメント１１は、排水管又は継手１４の下端部１４ｂに限らず、上端部であっても良い。
【００１５】
図示の排水管又は継手１４は、その胴部１４ａがコンクリートスラブＣの貫通孔Ｃ１に通された後、その胴部１４ａと貫通孔Ｃ１の隙間部分がモルタルＭにより埋め戻されている。
【００１６】
本発明のアタッチメントを適用する場合、排水管又は継手１４の管路１４ｃを通じた他の防火区画への類焼が確実に防止されるため、排水立管１２には、ポリ塩化ビニル、架橋ポリエチレン、ポリプロピレン、ポリブテン、ポリエステル等の樹脂管を用いることができる。
【００１７】
以下、上述のよな作用効果を奏するアタッチメントの具体例を示す。図２〜図５に示すアタッチメント２０は、環状の取付金具２１と前記取付金具２１外周に設けた突片２２と、前記突片２２の下面側にバネ部材２３と共に取り付けられた不燃性蓋部材２４と規制ピン２５とからなる。
【００１８】
図示の取付金具２１は、環状に加工された鋳鉄製の板材からなり、その環周には３つの取付用切り欠き２１ａが穿設されている。そして、図３に示すように、排水管又は継手１４の下端部１４ｂに取付金具２１を配し、該取付金具２１の取付用切り欠き２１ａに接続バンド１４ｄのボルト１４ｅを挿入し、ボルト締めすることで、取付金具２１の排水管又は継手下端部１４ｂへの取り付けがなれるようになっている。
【００１９】
上記取付金具２１の環の外周には３つの突片２２が設けられている。各突片２２は鋳鉄製の板材からなり、その下面側（非取付面側）には、バネ部材２３と不燃性蓋部材２４と規制ピン２５が取り付けられている。尚、突片２２は環状の取付金具２１とは別に製造されたものを溶接等で接合してもよいが、これら突片２２と環状の取付金具２１は、一枚の鉄板から加工して一体に製造されたものであっても良い。この場合、溶接等の加工が不要であり、また部品点数を少なくすることができる。
【００２０】
各突片２２に取り付けられるバネ部材２３はねじりバネからなり、その一端は突片２２に固着され、他端は不燃性蓋部材２４に当接するように配されている。不燃性蓋部材２４は略円弧状に設けた鉄製の薄板であり、その基端部が回動軸２２ａによって軸支されている。そして、該不燃性蓋部材２４は図２に示すように前記バネ部材２３の付勢力で前記取付金具２１下端の開口２１ｂ側へ水平方向に回動するようになっている。
【００２１】
また、突片２２に取り付けられた各不燃性蓋部材２４は、バネ部材２３の付勢力で回動したとき、図４に示すように、前記取付金具２１下端の開口２１ａ上で突き合わせ状態となって、該開口２１ａを閉蓋するようになっている。
【００２２】
一方、図２に示すように、各突片２２の不燃性蓋部材２４が回動する経路上には樹脂製の規制ピン２５が立設されていて、前記不燃性蓋部材２４の取付金具２１下端の開口２１ａ側への回動が規制されている。尚、規制ピン２５は、各不燃性蓋部材２４の回動を規制すると共に、火災時の熱によってその規制を解除できるものであるならば、上記樹脂製のピンのほか、例えば火災時の熱によって変形する形状記憶合金製のピンなど、何でも良い。
【００２３】
上述のように、建造物の各階の排水管又は継手１４の下端部１４ｂに環状の取付金具２１を取り付け、前記排水管又は継手１４の下端部１４ｂに排水立管１２端部を接続することで、建造物の各階の排水管又は継手１４とこれらを接合する排水立管１２とが連通状態となり、建造物の各階の排水がスムーズに階下へと排水されるようになっている。
【００２４】
そして、火災が発生したとき、火災時の熱によって前記取付金具２１外周に設けた各突片２２の規制ピン２５が溶融して炭化する。これにより、各突片２２の不燃性蓋部材２４は規制ピン２５による規制から開放され、バネ部材２３の付勢力によって図２中矢印方向、すなわち取付金具２１下端の開口側へと回動することになる。この結果、図４及び図５に示すように、各突片２２の不燃性蓋部材２４は、取付金具２１下端の開口２１ａ上で突き合わせ状態となり、該取付金具２１下端の開口２１ａが閉蓋されるようになっている。
【００２５】
尚、本発明は、図２〜図５に示す例、すなわち環状の取付金具に複数の突片を設けると共に、これら各突片のそれぞれにバネ部材と不燃性蓋部材と規制ピンを取り付けた例に限定されず、例えば板状の取付金具に１つの突片のみを設け、この突片にバネ部材と不燃性蓋部材と規制ピンをそれぞれ取り付け、前記規制ピンによる規制が火災時の熱によって解除されて、該不燃性蓋部材がバネ部材の働きで回動し、取付金具下端の開口を閉蓋するようにするなど、特許請求の範囲に記載された範囲内で自由に変更することができる。
【図面の簡単な説明】
【００２６】
【図１】本発明のアタッチメントを取り付ける排水管又は継手を示す拡大断面図である。
【図２】本発明のアタッチメントを示す拡大平面図である。
【図３】図２に示すアタッチメントを排水管又は継手下端部に取り付けた状態を示す拡大断面図である。
【図４】排水立管が火災時の熱で消失した時のアタッチメントの状態を示す拡大平面図である。
【図５】本発明のアタッチメントを排水管又は継手下端部に取り付けた後、排水立管が火災時の熱で消失した時の状態を示す拡大断面図である。
【図６】従来の排水設備を示す模式図である。
【符号の説明】
【００２７】
１２    ・・・排水立て管
１３    ・・・排水横枝管
１４    ・・・排水管又は継手
１４ｂ  ・・・下端部挿し口
２０    ・・・アタッチメント
２１    ・・・環状の取付金具
２２    ・・・突片
２３    ・・・バネ部材
２４    ・・・不燃性蓋部材
２５    ・・・規制ピン
【図１】
2008048801.tif 000003
【図２】
2008048801.tif 000004
【図３】
2008048801.tif 000005
【図４】
2008048801.tif 000006
【図５】
2008048801.tif 000007
【図６】
2008048801.tif 000008